(57)【要約】      （修正有）【課題】新規格のメモリカードに異なる寸法のアダプタ装置を組み合わせ、１枚のカードを各種デジタル製品で共用できる、新規格のメモリカード及びそのアダプタ装置の提供。【解決手段】新規格のメモリカードは概ね長方形を呈し、アダプタ装置後端部に新規格のメモリカードの寸法に対応するスロットが設けられ、新規格のメモリカードをアダプタ装置内部に挿入することができ、アダプタ装置の外形はMINI SD、SD、XD等各種現在市販され汎用されている各種異なる寸法規格のメモリカードの形状とすることができ、新規格のメモリカードに異なる寸法規格のアダプタ装置を組み合わせて各種デジタル製品に使用することができ、これにより使用者は１枚のカードを各種デジタル製品で共用できるため、異なる種類のメモリカードを購入する必要がない。【選択図】図３
0003137724.tif 000002
【実用新案登録請求の範囲】
【請求項１】
新規格のメモリカード及びそのアダプタ装置であって、新規格のメモリカードと、アダプタ装置を含み、前記新規格のメモリカードは、すでに市販使用されている多種類のメモリカードの外形規格に符合する前記アダプタ装置内に挿入して用いることができ、１枚のカードを各種デジタル製品で共用できるため各種異なる種類のメモリカードを購入する必要がないものであり、前記新規格のメモリカードは長方形を呈し、その長さ、幅、厚さはそれぞれ２０.３mm、１６.１mm及び１.１mmであり、その前端部の底部に複数の導電片が設置され、それぞれメモリカード内部のコントローラ及び保存ユニットに接続されており、後端部上方に突出状の指掛部が設けられ、前記アダプタ装置の前記指掛部に相対する箇所に凹陥槽が設けられ、前記新規格のメモリカードを前記アダプタ装置に挿入するとき、前記指掛部により新規格のメモリカードとアダプタ装置の抜き取りを容易にすると共にポカよけ機能を形成し、前記アダプタ装置はその後端部に前記新規格のメモリカードの寸法に対応したスロットが設けられ、前記新規格のメモリカードを挿入することができ、その前端部の外部に複数の導電接続片が露出され、且つ前記凹陥槽内部に延伸されて前記新規格のメモリカード上面に配設した複数の導電片と電気的接続を可能にするように構成したことを特徴とする、新規格のメモリカード及びそのアダプタ装置。        
【請求項２】
前記アダプタ装置の外形がMINI SD、SD、XD等市販され使用されているいずれかのメモリカードの外形及び寸法であることを特徴とする、請求項１に記載の新規格のメモリカード及びそのアダプタ装置。
【考案の詳細な説明】
【技術分野】
【０００１】
本考案は新規格のメモリカード及びそのアダプタ装置に関し、特に、１つのカードに各種異なる形式のアダプタ装置を組み合わせ、各種デジタル製品に用い、前記新規格のメモリカードに対してデータの読み出しと保存を行なうことができる、新規格のメモリカード及びそのアダプタ装置に関する。
【背景技術】
【０００２】
現在、市場には非常に多くの種類のメモリカードが提供されており、同時に各ブランドのメモリカードはその寸法が異なり、使用者がメモリカードを共用するためには互換性があるデジタル製品を購入する必要がある。
そして多くのメモリカードのうち、一部のメモリカードは同じ読み出しモードを採用しており、単にメモリカード間の寸法のみが異なるというものがあり、例えばMS DuoとMS Pro Duo小型メモリカード、SDとMINI SDメモリカード等、いくつかの異なるメモリカードがある。
【０００３】
しかしながら、各種寸法の異なるメモリカードは、使用者がデータの読み出しまたは保存を行うとき、往々にして異なるタイプのアダプタに搭載することが必要となるため、使用者は異なる種類のメモリカードを購入する必要があるだけでなく、それらに互換性があるアダプタを購入する必要もあり、これは使用者を購買時に困惑させるだけでなく、使用者の出費もかさみ、また保管も困難となる。
このため、各種デジタル製品に組み合わせることができ、且つ体積を相対的に小さくすることができるメモリカードを提供し、同時に各種異なる種類のアダプタを組み合わせるだけでメモリカードの読み出しと保存を行なうことを可能にすることが本考案の解決する問題である。
【考案の開示】
【考案が解決しようとする課題】
【０００４】
本考案の考案者は上述の製品の使用上におけるさまざまな問題に鑑みて、関連技術領域に従事した長年の経験に基づき長期間にわたって何度も試験を行ない、ついに本考案の新規格のメモリカード及びそのアダプタ装置の開発に至ったものである。
【０００５】
本考案の新規格のメモリカード及びそのアダプタ装置は、新規格のメモリカード及びアダプタ装置を含み、前記新規格のメモリカードは概ね長方形を呈し、前記アダプタ装置の後端部に前記新規格のメモリカードの寸法に対応するスロットが設けられ、前記新規格のメモリカードを前記アダプタ装置内部に挿入することができ、前記アダプタ装置の外型は、例えばMINI SD、SD、XD等各種の現在市販されている汎用のメモリカードなど、各種異なる寸法規格のメモリカードの形状とすることができ、これにより、前記新規格のメモリカードを異なる寸法規格のアダプタ装置に挿入し、各種デジタル製品に用いることができ、使用者は異なる種類のメモリカードを購入する必要なく、１つのカードを各種デジタル製品で共同使用することができる。
【０００６】
本考案の主な目的は、前記新規格のメモリカードの構造により、前記新規格のメモリカードに異なる寸法のアダプタ装置を組み合わせるだけで、１枚のカードを各種デジタル製品で共用でき、これにより使用者の購入コストと保管の問題を低減することができる、新規格のメモリカード及びそのアダプタ装置を提供することにある。
【課題を解決するための手段】
【０００７】
上述の目的を達するため、本考案の新規格のメモリカードは長さ、幅、厚さがそれぞれ２０.３mm、１６.１mm、及び１.１mmの新規格のメモリカードとし、前記メモリカードの前端底部に複数の導電片が設置され、それぞれメモリカード内部のコントローラと保存ユニットに接続される。
【０００８】
アダプタ装置の後端部に新規格のメモリカードの寸法に対応し、且つ新規格のメモリカードを挿入することができるスロットが設けられ、新規格のメモリカードを前記アダプタ装置内部に挿入することができ、前記アダプタ装置の外形は例えばMINI SD、SD、XD等各種現在市販されている汎用メモリカードなど、各種異なる寸法規格のメモリカードの形状とすることができ、これにより前記新規格のメモリカードは異なる寸法規格のアダプタ装置を選択してそれに挿入し、各種デジタル製品上で用いることができる。
【０００９】
前記アダプタ装置の前端底部には導電接続片が露出されて設けられ、前記導電接続片はアダプタ装置内部の凹陥槽に相対する位置に延伸され、前記新規格のメモリカードを前記アダプタ装置内部に挿入したとき、前記導電接続片と新規格のメモリカード上の複数の導電片を相互に連結することができ、前記デジタル製品に用いるとき、新規格のメモリカードに対してデータの読み出しと保存を行なうことができる。
【００１０】
また、新規格のメモリカード後端部の上方に突出状の指掛部が設けられ、アダプタ装置の前記指掛部に相対する箇所に同時に凹陥槽が形成され、前記新規格のメモリカードをアダプタ装置に挿入するとき、前記指掛部により便利に新規格のメモリカードとアダプタ装置の抜き取りを行なうことができる。         
【００１１】
同時に、前記指掛部のもう１つの目的は、ポカよけ機能として使用することであり、新規格のメモリカードをアダプタ装置内に挿入するとき、突出した前記指掛部をアダプタ装置上の凹陥槽箇所に合わせなければ、新規格のメモリカードを完全にアダプタ装置中に挿入することができないため、これにより使用者が挿入方向を誤って新規格のメモリカードを破損させてしまうのを防ぐことができる。    
【考案の効果】
【００１２】
前述の新規格のメモリカードの構造により、前記新規格のメモリカードに異なる寸法のアダプタ装置を組み合わせるだけで、１枚のカードを各種デジタル製品で共用でき、異なる種類のメモリカードを購入する必要がなく、これにより使用者の購入コストと保管上の問題を低減することができる。
【考案を実施するための最良の形態】
【００１３】
以下、本考案の内容及び達成可能な効果について理解を促すため、図面に基づきその実施例について詳細に説明する。
【実施例】
【００１４】
本考案の新規格のメモリカード及びそのアダプタ装置の構造組成は、図１及び図２に示すように、新規格のメモリカード１０は概ね長方形を呈し、その長さ、幅、厚さはそれぞれ２０.３mm、１６.１mm及び１.１mmとし、前記新規格のメモリカード１０の後端部上部に指掛部１１が設けられ、前記指掛部１１は突出または凹陥の方式で新規格のメモリカード１０上に設けられるものとし、本実施例における指掛部１１は新規格のメモリカード上に突出して設けられ、前記新規格のメモリカード１０前部の下端部に１１個の複数の導電片１２が露出されて設けられ、前記複数の導電片１２は新規格のメモリカード１０内部のコントローラ及び保存ユニットに接続される（この部分は市販の現有のメモリカードと同じであるため、ここでは説明を省略する）。このほか、新規格のメモリカード１０上に突出した指掛部１１上の片側にさらに指掛槽１３が設けられる。
【００１５】
図３及び図４に、本考案の新規格のメモリカードとアダプタ装置の分離、結合時の最良の実施例を示す。前記図に示すように、アダプタ装置２０はSDメモリカードの外形を呈し、当然MINI SD、XD、MS Duo、MS Pro Duo小型メモリカード等市販の汎用メモリカードの外形とすることもできるが、本考案ではSDカードの外形のみをその実施例として示す。
【００１６】
アダプタ装置２０の後端部に新規格のメモリカード１０の寸法に対応するスロット２１が設けられ、前記新規格のメモリカード１０を前記スロット２１内に挿入させることができ、アダプタ装置２０の前端部外部には複数の導電接続片が露出されて設けられ、同時に前記導電接続片はアダプタ装置内部の凹陥槽に相対する箇所に延伸され（この部分の技術手段は現在市販のアダプタと同じであるため、ここでは説明を省略する）、このため、新規格のメモリカード１０をアダプタ装置２０内部に挿入した後、前記新規格のメモリカード１０上の複数の導電片１２とアダプタ装置２０上の導電接続片を電気的に接続する効果が達成される。
【００１７】
さらに、アダプタ装置２０の後端部のスロット２１入口箇所上方に新規格のメモリカード１０上の指掛部１１と相互に対応する凹陥槽２２を形成し、これにより、新規格のメモリカード１０をアダプタ装置２０内に挿入するとき、前記指掛部１１が前記凹陥槽２１内に収容され、前記アダプタ装置２０の表面がより完全に保たれる。
【００１８】
新規格のメモリカード１０をアダプタ装置２０内部から取り出すときは、前記指掛部１１の片側に指掛槽１３が設けられているため、使用者は指を前記指掛槽１３に掛けて、新規格のメモリカード１０を外側へと引き出し、新規格のメモリカード１０をアダプタ装置２０内部から便利に取り出すことができる。
【００１９】
当然、前記新規格のメモリカード１０上の指掛部１１はポカよけ機能を持たせた設計とすることもでき、新規格のメモリカード１０をアダプタ装置２０内部に挿入するとき、指掛部１１を確実に凹陥槽２２に合わせなければ新規格のメモリカード１０をアダプタ装置２０内に完全に挿入することができず、新規格のメモリカード１０を誤って挿入すると、前記指掛部１１がアダプタ装置２０の外部に引っ掛かり、確実にアダプタ装置２０内に挿入することができないため、これにより、前記新規格のメモリカード１０を確実に前記アダプタ装置２０内に挿入できるよう確保し、新規格のメモリカード１０が誤った方向に挿入され、アダプタ装置２０内部の導電接続片を破損するのを防ぐことができる。
【００２０】
このように、前記新規格のメモリカード１０と各種異なる寸法のアダプタ装置２０を相互に組み合わせて用いると、前記新規格のメモリカード１０を各種デジタル製品に用いてデータの読み出しと保存を行なうことができる。このほか、使用者はデジタル製品に使用されているメモリカードの寸法に合わせて異なる寸法のアダプタ装置２０を購入するだけで、本考案の新規格のメモリカード１０と相互に結合させて１枚のメモリカードを複数のデジタル製品で共用することができ、異なる寸法規格のメモリカードを購入する必要はないため、購入コストを大幅に抑えることができ、市販の異なる寸法規格のメモリカード内部にはすべて保存ユニットとコントローラを装備する必要があるため、コストはすべて本考案のアダプタ装置２０より高く、これにより、使用者の購入上のコストと保管上の問題を効果的に低減し、同時に製品の競争力を向上することができる。
【００２１】
上述の各名称は本考案の技術内容を説明する利便性のため定めたものであり、本考案の権利範囲を制限するものではなく、本考案の要旨に基づく同等効果を得る部材の変更や代替はすべて本考案の保護範囲内に含まれるものとみなす。
【図面の簡単な説明】
【００２２】
【図１】本考案の新規格のメモリカードの正面図である。
【図２】本考案の新規格のメモリカードの背面図である。
【図３】本考案の新規格のメモリカードとアダプタ装置を分離したときの立体図である。
【図４】本考案の新規格のメモリカードとアダプタ装置を結合したときの立体図である。
【符号の説明】
【００２３】
１０    新規格のメモリカード
１１    指掛部
１２    導電片
１３    指掛槽
２０    アダプタ装置
２１    スロット
２２    凹陥槽
【図１】
0003137724.tif 000003
【図２】
0003137724.tif 000004
【図３】
0003137724.tif 000005
【図４】
0003137724.tif 000006